(57)【特許請求の範囲】
【請求項１】
グロメットが後面に被着されたコネクタハウジングが相手ハウジングに嵌合され、前記グロメットを貫通したボルトで前記両ハウジングが締結されるようにした防水コネクタにおいて、
前記グロメットには、前記ボルトの頭部が収められる座ぐり孔が凹み形成され、この座ぐり孔の底面には前記ボルトの軸部を挿通可能な中心孔が開口され、かつ、座ぐり孔の中心孔の口縁から前記ボルトの軸部を密着状に貫通するシール部が設けられており、
前記コネクタハウジングには、前記ボルトの頭部を受けてこの頭部との間で前記グロメットを挟む受け部が設けられ、この受け部には、前記シール部の少なくとも一部を嵌着可能な凹部が設けられ、かつ、前記凹部の開口の周縁を取り囲むように食い込み突条が形成され、
前記グロメットにおける前記座ぐり孔の底面には、前記食い込み突条が食い込む円周溝が形成されていることを特徴とする防水コネクタ。
【請求項２】
前記シール部の内周面には複数条のリップが形成されていることを特徴とする請求項１記載の防水コネクタ。
【発明の詳細な説明】
【０００１】
【発明の属する技術分野】
本発明は、グロメットが被着されるとともに相手ハウジングとの間でボルト締めされる形式の防水コネクタの改良に関する。
【０００２】
【従来の技術】
この種の防水コネクタは例えばパネル取付型のコネクタに使用され、一例として実開平６−７２１７７号に開示されたものが知られている。このものは、図５に示すように、パネル１の取付孔１Ａに雄ハウジング２が待ち受け状態で取り付けられ、この雄ハウジング２に防水側の雌ハウジング３が嵌合されるようになっている。雌ハウジング３はその後面にグロメット４が被着され、このグロメット４は取付孔１Ａの口縁に当接して取付孔１Ａをシールするとともに、筒状のブーツ部４Ａを備えて電線群を所定方向に導出するようになっている。そして、雌ハウジング３にはグロメット４を貫通してボルト５が装着され、このボルト５が雄ハウジング２側に装着されたナット６に螺合されて締め付けられることで、両ハウジング２，３が締結されるようになっている。
【０００３】
【発明が解決しようとする課題】
ところでこのようなコネクタでは、例えば引き出された電線群が引っ張られてブーツ部４Ａに対して同図の矢線方向に振れるような変形力が作用すると、その変形がグロメット４におけるボルト５の貫通部分７にまで及び、ボルト５との間に隙間ができてシール性が損なわれることが懸念される。そのため従来では、グロメット４の外側に硬質の合成樹脂製のカバー８を被せて共締めすることで押さえ、グロメット４におけるボルト５の貫通部分７等が連られて変形することを防ぐようにしていた。
すなわち従来のものではカバー８が余分に必要であって、部品点数が増え、それだけ製造コストが高くつくという問題があった。
本発明は上記のような事情に基づいて完成されたものであって、その目的は、部品点数の増加を抑えた上でボルト回りのシールを担保するところにある。
【０００４】
【課題を解決するための手段】
上記の目的を達成するための手段として、請求項１の発明は、グロメットが後面に被着されたコネクタハウジングが相手ハウジングに嵌合され、前記グロメットを貫通したボルトで前記両ハウジングが締結されるようにした防水コネクタにおいて、前記グロメットには、前記ボルトの頭部が収められる座ぐり孔が凹み形成され、この座ぐり孔の底面には前記ボルトの軸部を挿通可能な中心孔が開口され、かつ、座ぐり孔の中心孔の口縁から前記ボルトの軸部を密着状に貫通するシール部が設けれており、
前記コネクタハウジングには、前記ボルトの頭部を受けてこの頭部との間で前記グロメットを挟む受け部が設けられ、この受け部には、前記シール部の少なくとも一部を嵌着可能な凹部が設けられ、かつ、前記凹部の開口の周縁を取り囲むように食い込み突条が形成され、前記グロメットにおける前記座ぐり孔の底面には、前記食い込み突条が食い込む円周溝が形成されている構成としたところに特徴を有する。
請求項２の発明は、請求項１に記載のものにおいて、前記シール部の内周面には複数条のリップが形成されているところに特徴を有する。
【０００５】
【発明の作用及び効果】
＜請求項１の発明＞
ボルトを締め込むと、受け部との間でグロメットを挟みつつ両ハウジングが締結され、そのときシール部の少なくとも一部が受け部の凹部内に嵌着された状態にある。ここで、グロメットに対して変形力が作用してその影響がシール部にまで及んだとしても、シール部の一部は凹部内に嵌着されて拘束されていることで変形するのが阻止され、少なくとも嵌着された部分ではボルトの軸部の外周に密着した状態に保持されて、ボルト回りのシール性が確保される。
すなわち、格別の押さえ部材を要することなく、ボルト回りのシールが担保される。また、食い込み突条が円周溝に食い込むことで、シール部における凹部に嵌着された部分に変形の影響が及ぶことが、より確実に防止される。
＜請求項２の発明＞
ボルトの軸部の回りのシール性が確保される。
【０００６】
【発明の実施の形態】
以下、本発明の一実施形態を図１ないし図４に基づいて説明する。
この実施形態ではパネル取付型のコネクタを例示しており、図１に示すように、パネル１０に開口された円形の取付孔１１に、雄側のコネクタハウジング２０（以下、雄ハウジングという）が室内側から待ち受け状態で取り付けられ、この雄ハウジング２０に対して、本発明に係る防水側である雌側のコネクタハウジング３０（以下、雌ハウジングという）が屋外側から嵌合され、ボルト３９により締結されるようになっている。
なお以下では、両ハウジング２０，３０において嵌合面側を前面として説明する。
【０００７】
雄ハウジング２０は合成樹脂材により形成され、厚肉の円盤状をなす本体部２１の前面に、パネル１０の取付孔１１内に緊密に嵌合可能な円筒形をなすフード部２２が設けられた形状となっている。本体部２１内には、大型の雄側端子金具を収容するキャビティ２３や、小型の雄側端子金具を収容したサブハウジングを装着する装着孔２４が設けられている。
雄ハウジング２０の前面における中心に近い所定位置には結合部２５が設けられ、この結合部２５には、相手の雌ハウジング３０に装着されたボルト３９が螺合されるナット２６が埋設されている。
【０００８】
雄ハウジング２０の後面には、引き出された電線群をまとめて収容して所定方向に導出するカバー２７が装着されている。
このような雄ハウジング２０が、フード部２２の外周面の前縁側に設けられた掛止爪２８と突当鍔２９とで取付孔１１の口縁を挟持することによって、上記のように待ち受け状態で取り付けられるようになっている。
【０００９】
雌ハウジング３０は同じく合成樹脂製であって、上記した雄ハウジング２０のフード部２２内に嵌合可能な厚肉の円盤状に形成され、その後端部の外周面に、取付孔１１の口縁と対向するフランジ３１が形成されている。
雌ハウジング３０内には、大型の雌側端子金具を収容するキャビティ３３や、小型の雌側端子金具を収容したサブハウジングを装着する装着孔３４が設けられている。
【００１０】
この雌ハウジング３０における上記した雄ハウジング２０の結合部２５と対応する位置には、ボルト装着部３５が設けられている。このボルト装着部３５は、柱状となって後面側に突出しており、その中心にボルト３９の軸部３９Ａを挿通する挿通孔３６が形成されている。また、ボルト装着部３５の後方への突出面がボルト３９の頭部３９Ｂの受け面３７となっているとともに、ボルト装着部３５の前端面には嵌合孔３８が形成されて、雄ハウジング２０の結合部２５の外周に嵌合されるようになっている。
【００１１】
雌ハウジング３０の後面側にはグロメット４０が被着されるようになっている。このグロメット４０はゴム製であって、図２及び図３に示すように、全体としてはフランジ３１の外周から雌ハウジング３０の後面側を覆うような有底の円筒形に形成され、開口縁に設けられた溝状の嵌合部４１がフランジ３１の外周縁に嵌められて取り付けられるようになっている。この嵌合部４１の前面が取付孔１１の口縁に当接する当接面４２となっていて、この当接面４２には、複数条のリップ４３が同心円状に配されて形成されている。
【００１２】
このグロメット４０の後面には、筒状のブーツ部４５が斜め姿勢で突設され、雌ハウジング３０の後面から引き出された電線群がグロメット４０内でまとめられたのち、ブーツ部４５を通して所定方向に導出されるようになっている。
また、グロメット４０の後面におけるボルト装着部３５と対応する位置には座ぐり孔４６が凹み形成され、その底面４６Ａにはボルト３９の軸部３９Ａを挿通可能な中心孔４７が開口されており、座ぐり孔４６内には、ボルト３９の頭部３９Ｂが工具による回転操作可能に収容されるようになっている。
【００１３】
さて、上記したグロメット４０の座ぐり孔４６の底面４６Ａにおける中心孔４７の外側（図３の左側）の口縁からは、ボルト３９の軸部３９Ａ、特にその付け根側の所定長さ部分に緊密に嵌合する円筒形のシール部５０が一体的に形成されている。このシール部５０の内周面には、複数条のリップ５１が軸線方向に間隔を開けて形成されている。
一方、ボルト装着部３５における受け面３７側の端部では、図４に詳細に示すように、挿通孔３６の径を広げるようにして、上記したシール部５０を緊密に嵌着可能な収容孔５３が形成されている。
また、ボルト装着部３５の受け面３７における周縁には、断面山形をなす食い込み突条５５が全周にわたって形成されている。これに対して、グロメット４０の座ぐり孔４６の底面４６Ａには、上記の食い込み突条５５の先端部分が食い込む円周溝５６が形成されている。
【００１４】
続いて本実施形態の作用を説明する。
雄ハウジング２０側では、本体部２１に雄側端子金具やサブハウジングが装着されるととともに、その後面にカバー２７が取り付けられる。この雄ハウジング２０が、パネル１０の取付孔１１に室内側から挿入され、待ち受け状態で取り付けられる。
一方の雌ハウジング３０側では、同じように雌側端子金具やサブハウジングが装着されるととともに、その後面にグロメット４０が取り付けられる。このとき、グロメット４０のシール部５０がボルト装着部３５の収容孔５３に押し込まれる。
【００１５】
そして、雌ハウジング３０にはボルト３９が装着される。詳細には、グロメット４０の座ぐり孔４６の中心孔４７にボルト３９の軸部３９Ａが挿入され、軸部３９Ａはシール部５０内を貫通したのちボルト装着部３５の挿通孔３６を通って嵌合孔３８内に突出し、頭部３９Ｂが座ぐり孔４６内に収められる。また、雌ハウジング３０の後面から引き出されてまとめられた電線群は、グロメット４０のブーツ部４５を通して所定方向に導出される。
【００１６】
このように組み付けられた雌ハウジング３０が、ボルト３９の装着位置を結合部２５に合わせた姿勢で、室外側から雄ハウジング２０のフード部２２内に嵌合される。ボルト３９の軸部３９Ａの先端が、結合部２５のナット２６内に挿入されたら嵌合動作が一旦停止される。
次に、グロメット４０の座ぐり孔４６に工具が入れられてボルト３９が回転されると、ボルト３９の雄ネジ部がナット２６にねじ込まれることで、雌ハウジング３０が次第にフード部２２内に引き寄せられる。雌ハウジング３０の前面がフード部２２の奥面に突き当たる位置まで引き寄せられると、ボルト３９の回転操作は停止され、雄雌のハウジング２０，３０が正規の嵌合状態に保持される。
【００１７】
このとき、グロメット４０の嵌合部４１の当接面４２が、リップ４３を弾縮しつつ取付孔１１の口縁に押し付けられることで、取付孔１１の回りがシールされる。また、グロメット４０の座ぐり孔４６の底面４６Ａが、ボルト３９の頭部３９Ｂとボルト装着部３５の受け面３７との間で挟まれることで、ボルト３９の軸部３９Ａの貫通部分がシールされる。なお、受け面３７の食い込み突条５５は、座ぐり孔４６の底面４６Ａの円周溝５６に食い込んだ状態となる。
【００１８】
上記により取り付けが完了するが、使用時において、雌ハウジング３０から引き出された電線群が引っ張られて、グロメット４０のブーツ部４５に対して図１の矢線方向に振れるような変形力が作用する場合がある。そうするとその影響により、座ぐり孔４６の底面４６Ａが径方向の外側に引っ張られるような変形力を受けて、ボルト３９の軸部３９Ａとの間に隙間ができるおそれがある。
しかしながら、座ぐり孔４６の底面４６Ａの中心孔４７の回りには、受け面３７からの食い込み突条５５が食い込んでいるから、座ぐり孔４６の底面４６Ａが引っ張り変形することが抑制される。
仮に底面４６Ａにおける食い込み突条５５が食い込んだ面と反対側の面等で引っ張り変形が生じたとしても、シール部５０はボルト装着部３５の受け面３７の収容孔５３内に嵌着されて拘束されていることにより変形することが阻止され、そのシール部５０では、リップ５１を弾縮しつつボルト３９の軸部３９Ａの外周に密着した状態に保持され、ボルト３９の軸部３９Ａの回りのシール性が確保される。
【００１９】
以上のように本実施形態によれば、グロメット４０を押さえるための格別の押さえ部材を要することなく、ボルト３９の貫通部分のシールが担保され、その分部品点数の減少が図れて、製造コストの低減に寄与することができる。
また、グロメット４０における座ぐり孔４６の底面４６Ａの中心孔４７の回りに、対向した受け面３７に形成した食い込み突条５５を食い込ませた構造としたから、座ぐり孔４６の底面４６Ａが引っ張り変形すること自体が抑制され、シール性がより高められる。
【００２０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態とは逆に、雌ハウジングを待ち受け側に、雄ハウジングを防水側とした形式のものにも同様に適用することができる。
（２）本発明はパネル取付型に限らず、要はグロメットが被着されるとともに相手ハウジングとの間でボルト締めされる形式の防水コネクタ全般に広く適用することができる。
【図面の簡単な説明】
【図１】本発明の一実施形態の断面図
【図２】グロメットの正面図
【図３】その断面図
【図４】グロメットのシール部の装着部分付近を示す拡大断面図
【図５】従来例の断面図
【符号の説明】
２０…雄ハウジング（相手ハウジング）
２６…ナット
３０…雌ハウジング（コネクタハウジング）
３５…ボルト装着部
３６…挿通孔
３７…受け面（受け部）
３９…ボルト
３９Ａ…（ボルト３９の）軸部
３９Ｂ…（ボルト３９の）頭部
４０…グロメット
４５…ブーツ部
４６…座ぐり孔
４６Ａ…（座ぐり孔４６の）底面
４７…中心孔
５０…シール部
５１…リップ
５３…収容孔（凹部）
５５…食い込み突条（突起）
【図１】
0004058902.tif 000002
【図２】
0004058902.tif 000003
【図３】
0004058902.tif 000004
【図４】
0004058902.tif 000005
【図５】
0004058902.tif 000006